(57)【要約】【課題】  パーソナルコンピュータからでないと電源供給を受けられない電子機器に対し、電源供給が可能であると共に、外部から機能の操作が可能となる。【解決手段】  ＡＣアダプタと接続し、ＡＣアダプタから電源供給を受けるための第１の接続手段と、第１の接続手段からの電源供給により動作し、電子機器と電子機器とは別の外部電子機器と無線を通じてデータの授受を行うための無線手段と、電子機器と接続し、ＡＣアダプタからの電源の供給を電子機器に供給すると共に、無線手段と電子機器との間で信号の授受を行うための第２の接続手段とを備えることを特徴とする。【選択図】図１
2016128968.tif 000002
【特許請求の範囲】
【請求項１】
外部から電源供給を受けて、電子機器に外付けで無線操作機能を備えさせるための無線アダプタにおいて、
ＡＣアダプタと接続し、該ＡＣアダプタから電源供給を受けるための第１の接続手段と、
該第１の接続手段からの電源供給により動作し、該電子機器と該電子機器とは別の外部電子機器と無線を通じてデータの授受を行うための無線手段と、
該電子機器と接続し、該ＡＣアダプタからの電源の供給を該電子機器に供給すると共に、該無線手段と該電子機器との間で信号の授受を行うための第２の接続手段とを備えることを特徴とする無線アダプタ。
【請求項２】
前記第１の接続手段を介して、前記ＡＣアダプタと一体になるように接続されることを特徴とする請求項１記載の無線アダプタ。
【請求項３】
前記第１の接続手段及び前記第２の接続手段が、ＵＳＢの端子規格であり、前記電源及び前記信号が、ＵＳＢの電源規格及び信号規格であることを特徴とする請求項１又は請求項２記載の無線アダプタ。
【発明の詳細な説明】
【技術分野】
【０００１】
本発明は、外部から電源供給を受けて、電子機器に外付けで無線操作機能を備えさせるための無線アダプタに関する。
【背景技術】
【０００２】
従来より、パーソナルコンピュータに接続し、パーソナルコンピュータから電源供給を受けて動作する各種の機器がある。例えば、特許文献１の扇風機は、ＵＳＢの電源規格の直流電源による動作するものである。そして、特許文献１の扇風機は、パーソナルコンピュータの動作（電源のＯＮ／ＯＦＦ）に合わせて、それ自体も動作することになる。このため、特許文献１の扇風機は、ＯＮ／ＯＦＦ等の操作のためのスイッチを有していない。
【先行技術文献】
【特許文献】
【０００３】
【特許文献１】特開２０１２−２５１５３９号公報
【発明の概要】
【発明が解決しようとする課題】
【０００４】
しかしながら、従来のパーソナルコンピュータから電源供給を受けて動作する各種の機器は、パーソナルコンピュータからでないと電源供給を受けられず、動作はパーソナルコンピュータ自体が動作しているか否かに依存して、単独で動作するような構成になっていない。また、操作のためのスイッチを有しないことから、ＯＮ／ＯＦＦを含め、機能を操作することができない。
【０００５】
本発明は、このような事情に鑑みてなされたもので、パーソナルコンピュータからでないと電源供給を受けられない電子機器に対し、電源供給が可能であると共に、外部から機能の操作が可能な無線アダプタを提供することにある。
【課題を解決するための手段】
【０００６】
請求項１記載の無線アダプタは、ＡＣアダプタと接続し、ＡＣアダプタから電源供給を受けるための第１の接続手段と、第１の接続手段からの電源供給により動作し、電子機器と電子機器とは別の外部電子機器と無線を通じてデータの授受を行うための無線手段と、電子機器と接続し、ＡＣアダプタからの電源の供給を電子機器に供給すると共に、無線手段と電子機器との間で信号の授受を行うための第２の接続手段とを備えることを特徴とする。
【０００７】
請求項２記載の無線アダプタは、第１の接続手段を介して、ＡＣアダプタと一体になるように接続されることを特徴とする。
【０００８】
請求項３記載の無線アダプタは、第１の接続手段及び第２の接続手段が、ＵＳＢの端子規格であり、電源及び信号が、ＵＳＢの電源規格及び信号規格であることを特徴とする。
【発明の効果】
【０００９】
本願の発明によれば、パーソナルコンピュータからでないと電源供給を受けられない電子機器に対し、電源供給が可能であると共に、外部から機能の操作が可能となる。
【図面の簡単な説明】
【００１０】
【図１】本発明に係る無線アダプタに係るシステム構成の一例を示す構成図である。
【図２】同無線アダプタの使用方法の一例を示す説明図である。
【発明を実施するための形態】
【００１１】
以下、本発明の形態について図面を参照しながら具体的に説明する。図１は、本発明に係る無線アダプタに係るシステム構成の一例を示す構成図である。図２は、同無線アダプタの使用方法の一例を示す説明図である。図における無線アダプタ１は、パーソナルコンピュータから電源供給を受けて動作する各種の電子機器（例えば、特許文献１の扇風機や、ＤＶＤプレーヤ等）（電子機器の全体は図示せず）に外付けし、電子機器に電源供給しつつ、電子機器に無線操作機能を備えさせるためのものである。
【００１２】
無線アダプタ１に接続される電子機器は、例えば、ＵＳＢの電源規格で電源供給を受けられるもので、電源供給を受けるためのケーブルは、ＵＳＢオス側ケーブル３０である。尚、本実施の形態では、後述する各種の接続手段の規格や電源規格や信号規格としてＵＳＢ（Ｕｎｉｖｅｒｓａｌ  Ｓｅｒｉａｌ  Ｂｕｓ）の規格で説明しているが、ＵＳＢに限られるものではない。但し、ＵＳＢの規格が汎用的に用いられており、適合できる電子機器が多く、各種部品等が安価で入手しやすい等のメリットがある。
【００１３】
無線アダプタ１は、ＡＣアダプタ２０と接続し、ＡＣアダプタ２０から電源供給を受けるための第１の接続手段であるＵＳＢオス側コネクタ１２と、第１の接続手段であるＵＳＢオス側コネクタ１２からの電源供給により動作し、電子機器と電子機器とは別の外部電子機器であるタブレット端末４と無線を通じてデータの授受を行うための無線手段である無線部１０と、電子機器と接続し、ＡＣアダプタ２０からの電源の供給を電子機器に供給すると共に、無線手段である無線部１０と電子機器との間で信号の授受を行うための第２の接続手段であるＵＳＢメス側コネクタ１４とを備える。
【００１４】
本実施の形態では、電子機器と無線手段（無線部１０）を介して無線を通じてデータの授受を行う外部電子機器を、タブレット型携帯電子機器（タブレット型ＰＣ等）やスマートホンといったタブレット端末４として説明するが、タブレット端末４に限らず、携帯端末や各種のリモコン装置でもよく、その形態によって制限さえるものではない。
【００１５】
無線手段である無線部１０は、ＵＳＢオス側コネクタ１２を介して、ＡＣアダプタ２０から電源供給を受けて動作し、無線を通じて、タブレット端末４とデータの授受を行い、授受したデータをＵＳＢメス側コネクタ１４を介して、電子機器とやりとりする。尚、無線部１０で使用する無線の形式であるが、特に無線の形式により制限されるものではなく、例えば、Ｂｌｕｅｔｏｏｔｈ（登録商標）、ＤＬＮＡ（登録商標）、Ｗｉ−Ｆｉ（登録商標）等が使用可能である。また、本発明において無線手段の用語を用いて説明しているが、本願においての無線手段は、有線以外の通信全般であり、例えば、紫外線や赤外線といった光による通信も含まれるものとする。
【００１６】
ＡＣアダプタ２０は、ＡＣコンセントに挿入してＡＣ電源を得るプラグ部２４を有し、内蔵された電源回路２２で、ＡＣ電源からＤＣ電源を生成し、ＵＳＢメス側コネクタ２６を介して、外部に電源を供給するものである。尚、無線アダプタ１は、ＡＣアダプタ２０から供給された電源で無線部１０を動作させると共に、ＵＳＢメス側コネクタ１４を介して、ＡＣアダプタ２０からの電源を、電子機器にも供給する構成となっている。
【００１７】
図２に外観を示す無線アダプタ１及びＡＣアダプタ２０は、共に直方体形状であり、それぞれが同径の形状となっている。また、ＡＣアダプタ２０の電源供給の出力側であるＵＳＢメス側コネクタ２６はメス形状であり、無線アダプタ１の電源供給を受けるＵＳＢオス側コネクタ１２がオス形状で、電子機器と接続されるＵＳＢメス側コネクタ１４がメス形状であり、電子機器のＵＳＢオス側ケーブル３０がオス形状であるが、この接続手段のオス形状／メス形状の選択は任意である。図２に示す形状であれば、無線アダプタ１がＡＣアダプタ２０と一体になるように接続できることから、無線アダプタ１とＡＣアダプタ２０とがコンパクトになり、取り扱い等が容易になる。もちろん、無線アダプタ１とＡＣアダプタ２０とを一体になるような構成にする必要は必ずしもなく、また図２のような一体になるような構成であっても、ＵＳＢメス側コネクタ２６とＵＳＢオス側コネクタ１２との間を、一端がオス形状で他端がメス形状のコネクタを有するケーブルで接続して用いることも可能である。
【００１８】
また、電子機器のＵＳＢオス側ケーブル３０はケーブル形状であるのに対し、無線アダプタ１のＵＳＢオス側コネクタ１２、ＵＳＢメス側コネクタ１４及びＡＣアダプタ２０のＵＳＢメス側コネクタ２６は、直接コネクタが設けられケーブルが伸びる形態にはなっていないが、直接コネクタが設けられていても、ケーブルが伸びて接続手段になっていてもよい。
【００１９】
以上のように構成される無線アダプタ１の使用方法と動作を説明する。まず、接続する順番は任意であるが、無線アダプタ１のＵＳＢオス側コネクタ１２を、ＡＣアダプタ２０のＵＳＢメス側コネクタ２６に挿入して、無線アダプタ１とＡＣアダプタ２０とを接続し、無線アダプタ１のＵＳＢメス側コネクタ１４に、電子機器のＵＳＢオス側ケーブル３０を挿入して、無線アダプタ１と電子機器とを接続し、ＡＣアダプタ２０のプラグ部２４をＡＣコンセントに挿入する。
【００２０】
これにより、ＡＣアダプタ２０から無線アダプタ１に電源供給され、無線部１０が動作を開始する。また、電子機器に対しても無線アダプタ１から電源供給がなされ、電子機器も動作を開始する。この状態で、無線部１０が、タブレット端末４と無線を通じてデータの授受が可能になる。例えば、タブレット端末４からの操作データが、無線アダプタ１を介して電子機器に伝えられる。また、電子機器の情報を無線アダプタ１を介してタブレット端末４に送ることも可能である。このように、無線アダプタ１により、タブレット端末４による電子機器の無線操作機能が、電子機器に備わったことになる。
【００２１】
尚、図１における無線アダプタ１の構成では、ＡＣアダプタ２０からの電源供給を、無線部１０を介さず直接電子機器に対して行っている形態であるが、図１の点線で示すように、電源供給を一旦無線部１０で受け、無線部１０の動作により、電子機器への電源供給のＯＮ／ＯＦＦを行うようにしてもよく、このような構成であれば、タブレット端末４からの無線を通じた操作で、電子機器のＯＮ／ＯＦＦを操作することも可能である。
【００２２】
以上にような本実施の形態における無線アダプタ１によれば、パーソナルコンピュータからでないと電源供給を受けられない電子機器に対し、電源供給が可能であると共に、外部から機能の操作が可能となる。また、電子機器を改造を施す必要がなく、容易に無線アダプタ１を接続することが可能である。
【産業上の利用可能性】
【００２３】
以上のように、本発明によれば、パーソナルコンピュータからでないと電源供給を受けられない電子機器に対し、電源供給が可能であると共に、外部から機能の操作が可能な無線アダプタを提供することができる。
【符号の説明】
【００２４】
１・・・・無線アダプタ
４・・・・タブレット端末
１０・・・無線部
１２・・・ＵＳＢオス側コネクタ
１４・・・ＵＳＢメス側コネクタ
２０・・・ＡＣアダプタ
２２・・・電源回路
２４・・・プラグ部
２６・・・ＵＳＢメス側コネクタ
３０・・・ＵＳＢオス側ケーブル
【図１】
2016128968.tif 000003
【図２】
2016128968.tif 000004